(57)【要約】【課題】電話機に国際電話番号による発信を確実にさせること。【解決手段】ハンズフリー通話装置２は、電話機３に電話番号に基づく発信をさせてこの電話機３を介した通話を可能にするものである。そして、このハンズフリー通話装置２は、電話番号を記憶する記憶手段１６と、記憶手段１６から電話番号を取得する取得手段１７と、取得手段１７が取得した電話番号の先頭桁が０以外の数字である場合、その取得した電話番号の先頭に、電話機３に国際電話の発信をさせるための記号を付加する付加手段１７と、記号が付加された電話番号を電話機へ通知する通知手段１７と、を有する。【選択図】図１
2008288644.tif 000002
【特許請求の範囲】
【請求項１】
電話機に電話番号に基づく発信をさせてこの電話機を介した通話を可能にするハンズフリー通話装置において、
電話番号を記憶する記憶手段と、
上記記憶手段から電話番号を取得する取得手段と、
上記取得手段が取得した電話番号の先頭桁が０以外の数字である場合、その取得した電話番号の先頭に、上記電話機に国際電話の発信をさせるための記号を付加する付加手段と、
上記記号が付加された電話番号を電話機へ通知する通知手段と、
を有することを特徴とするハンズフリー通話装置。
【請求項２】
電話機に電話番号に基づく発信をさせてこの電話機を介した通話を可能にするハンズフリー通話装置において、
発信した履歴電話番号および／または着信した履歴電話番号を記憶する履歴データベースと、
上記履歴データベースから履歴電話番号を取得する取得手段と、
上記取得手段が取得した履歴電話番号の先頭桁が０以外の数字である場合、その取得した履歴電話番号の先頭に、上記電話機に国際電話の発信をさせるための記号を付加する付加手段と、
上記記号が付加された履歴電話番号を電話機へ通知する通知手段と、
を有することを特徴とするハンズフリー通話装置。
【請求項３】
前記付加手段は、前記取得手段が取得した履歴電話番号の先頭桁が０以外の数字である場合であって、且つ、その履歴電話番号が４桁以下でない場合に、前記記号を付加すること、を特徴とする請求項２記載のハンズフリー通話装置。
【請求項４】
電話帳電話番号を記憶する電話帳データベースと、
前記取得手段が前記履歴データベースから取得した履歴電話番号と所定の桁数以上において下桁が一致する電話帳電話番号を上記電話帳データベースから取得する第二の取得手段と、を有し、
前記付加手段は、前記取得手段が取得した履歴電話番号および上記第二の取得手段が取得した電話帳電話番号の中の桁数が多い方の電話番号について先頭桁を判断対象とすること、
を特徴とする請求項２または３記載のハンズフリー通話装置。
【請求項５】
請求項１から４の中のいずれか１項記載の記載のハンズフリー通話装置と、
前記ハンズフリー通話装置から、国際電話による発信のための記号が付加された電話番号が通知された場合、国際電話の発信をする電話機と、
を有することを特徴とするハンズフリー通話システム。
【請求項６】
前記電話機は、着信時に通知される国際電話番号の中の一部のみを前記ハンズフリー通話装置へ通知すること、を特徴とする請求項５記載のハンズフリー通話システム。
【請求項７】
電話機に電話番号に基づく発信をさせてこの電話機を介した通話を可能にするハンズフリー通話装置における国際電話の発信方法であって、
電話番号を記憶する記憶手段から電話番号を取得するステップと、
取得された上記電話番号の先頭桁が０以外の数字である場合、その取得した電話番号の先頭に、上記電話機に国際電話の発信をさせるための記号を付加するステップと、
上記記号が付加された電話番号を電話機へ通知するステップと、
を有することを特徴とするハンズフリー通話装置における国際電話の発信方法。
【発明の詳細な説明】
【技術分野】
【０００１】
本発明は、ハンズフリー通話装置、ハンズフリー通話システム、およびハンズフリー通話装置における国際電話の発信方法に関する。
【背景技術】
【０００２】
特許文献１は、着信した電話番号を表示したり、着信した電話番号へコールバックしたりすることができる電話機を開示する。
【０００３】
【特許文献１】特開２００３−２５８９８７号公報（要約など）
【発明の開示】
【発明が解決しようとする課題】
【０００４】
近年、自動車などにおいて電話をかける場合、ハンズフリー通話装置が用いられる。このハンズフリー通話装置は、たとえば携帯電話機などとともに車両内に設置され、この携帯電話機を介した通話を可能にする。これにより、運転手は、携帯電話機に対して操作をすることなく通話が可能となる。
【０００５】
ところで、このハンズフリー通話装置において、特許文献１の電話機のように、携帯電話機などから通知された着信電話番号の履歴などを用いて発信をさせることが考えられる。
【０００６】
しかしながら、着信履歴に登録された電話番号が国際電話番号である場合、ハンズフリー通話装置は、その着信履歴の電話番号を用いて発信することができないことがある。
【０００７】
たとえば欧州仕様のある携帯電話機は、ハンズフリー通話装置へ着信電話番号の中の数字部分のみしか通知しないものがある。すなわち、電話機は、それに着信した国際電話番号の先頭にある「＋（国際電話であることを示す記号）」を無視し、ハンズフリー通話装置へ着信した国際電話番号の数字部分のみを通知することがある。そして、ハンズフリー通話装置においてはこのような省略された国際電話番号が着信履歴として登録されることになるため、ハンズフリー通話装置は、着信履歴中の国際電話番号を用いて発信することができなくなってしまう。
【０００８】
なお、着信した国際電話番号をハンズフリー通話装置の電話帳データベースに登録した場合などにおいても、同様の課題が生じることになる。
【０００９】
本発明は、電話機に国際電話番号による発信を確実にさせることができるハンズフリー通話装置、ハンズフリー通話システム、およびハンズフリー通話装置における国際電話の発信方法を得ることを目的とする。
【課題を解決するための手段】
【００１０】
本発明に係るハンズフリー通話装置は、電話機に電話番号に基づく発信をさせてこの電話機を介した通話を可能にするものである。そして、このハンズフリー通話装置は、電話番号を記憶する記憶手段と、記憶手段から電話番号を取得する取得手段と、取得手段が取得した電話番号の先頭桁が０以外の数字である場合、その取得した電話番号の先頭に、電話機に国際電話の発信をさせるための記号を付加する付加手段と、記号が付加された電話番号を電話機へ通知する通知手段と、を有する。
【００１１】
本発明に係る他のハンズフリー通話装置は、電話機に電話番号に基づく発信をさせてこの電話機を介した通話を可能にするものである。そして、このハンズフリー通話装置は、発信した履歴電話番号および／または着信した履歴電話番号を記憶する履歴データベースと、履歴データベースから履歴電話番号を取得する取得手段と、取得手段が取得した履歴電話番号の先頭桁が０以外の数字である場合、その取得した履歴電話番号の先頭に、電話機に国際電話の発信をさせるための記号を付加する付加手段と、記号が付加された履歴電話番号を電話機へ通知する通知手段と、を有する。
【００１２】
本発明に係る他のハンズフリー通話装置は、上述した発明の構成に加えて以下の特徴を有するものである。すなわち、付加手段は、取得手段が取得した履歴電話番号の先頭桁が０以外の数字である場合であって、且つ、その履歴電話番号が４桁以下でない場合に、記号を付加する。
【００１３】
本発明に係る他のハンズフリー通話装置は、上述した発明の各構成に加えて以下の特徴を有するものである。すなわち、他のハンズフリー通話装置は、さらに、電話帳電話番号を記憶する電話帳データベースと、取得手段が履歴データベースから取得した履歴電話番号と所定の桁数以上において下桁が一致する電話帳電話番号を電話帳データベースから取得する第二の取得手段と、を有する。そして、付加手段は、取得手段が取得した履歴電話番号および第二の取得手段が取得した電話帳電話番号の中の桁数が多い方の電話番号について先頭桁を判断対象とする。
【００１４】
本発明に係るハンズフリー通話システムは、上述した発明の各構成に係るハンズフリー通話装置と、ハンズフリー通話装置から、国際電話による発信のための記号が付加された電話番号が通知された場合、国際電話の発信をする電話機と、を有するものである。
【００１５】
本発明に係るハンズフリー通話システムは、上述した発明の構成に加えて以下の特徴を有するものである。すなわち、電話機は、着信時に通知される国際電話番号の中の一部のみをハンズフリー通話装置へ通知する。
【００１６】
本発明に係るハンズフリー通話装置における国際電話の発信方法は、電話機に電話番号に基づく発信をさせてこの電話機を介した通話を可能にするものである。そして、このハンズフリー通話装置における国際電話の発信方法は、電話番号を記憶する記憶手段から電話番号を取得するステップと、取得された電話番号の先頭桁が０以外の数字である場合、その取得した電話番号の先頭に、電話機に国際電話の発信をさせるための記号を付加するステップと、記号が付加された電話番号を電話機へ通知するステップと、を有する。
【発明の効果】
【００１７】
本発明では、取得した電話番号の先頭桁が０以外の数字である場合、その取得した電話番号の先頭に、電話機に国際電話の発信をさせるための記号を付加して電話機へ通知するので、電話機に国際電話番号による発信を確実にさせることができる。
【発明を実施するための最良の形態】
【００１８】
以下、本発明の実施の形態に係るハンズフリー通話装置、ハンズフリー通話システム、およびハンズフリー通話装置における国際電話の発信方法を、図面に基づいて説明する。なお、国際電話の発信方法は、ハンズフリー通話装置の動作の一部として説明する。
【００１９】
図１は、ハンズフリー通話システム１の構成を示すブロック図である。ハンズフリー通話システム１は、ハンズフリー通話装置２と、電話機の一種としての携帯電話機３を有する。
【００２０】
ハンズフリー通話装置２は、たとえば自動車などの車両内などに設置されるものであり、短距離通信デバイス１１、着信あるいは発信の電話番号などを表示する表示デバイス１２、キーデバイス１３、音声を出力するスピーカ１４、音声を電気信号へ変換するマイクロホン１５、記憶手段としてのメモリ１６、制御部１７などを有する。これらのデバイスなどは、図示外の乾電池などのバッテリの蓄電電力により動作する。
【００２１】
短距離通信デバイス１１は、他の短距離通信デバイス（図１では携帯電話機３の短距離通信デバイス２２）との間で短距離用の無線電波により通信をするものである。そして、短距離通信デバイス１１は、他の短距離通信デバイスとの間で通話先の電話番号や通話データなどを送受する。なお、短距離の無線通信方式としては、たとえばブルートゥース、無線ＬＡＮ（Ｌｏｃａｌ  Ａｒｅａ  Ｎｅｔｗｏｒｋ）などのＩＥＥＥ（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）８０２．１１の規格に準拠したものなどがある。また、家庭内などの短距離通信に使用する無線周波数帯としてはたとえば２．４ＧＨｚ帯がある。
【００２２】
メモリ１６は、たとえばフラッシュメモリなどの半導体メモリである。メモリ１６は、電話帳データベース１８、履歴データベース１９などを記憶する。
【００２３】
図２は、履歴データベース１９の一例を示すデータ構造図である。履歴データベース１９は、携帯電話端末３から通知された着信電話番号（以下、携帯電話端末３の着信電話番号と区別するために着信通知電話番号と記載する。）毎の複数のレコードを有する。各レコードには、携帯電話機３から通知された着信通知電話番号、着信時刻などの情報が格納される。図２の履歴データベース１９は、欧州在住のＡ氏からの国際電話による着信時に携帯電話機３から通知された着信通知電話番号「３０  ２１２  ３４５６  ７８９０」、日本在住のＣ氏からの市内電話による着信時に携帯電話機３から通知された着信通知電話番号「４５６７  ８９０１」などを有する。
【００２４】
なお、欧州在住のＡ氏へ国際電話により発信する場合、その国際電話番号は「＋３０  ２１２  ３４５６  ７８９０」である。したがって、この履歴データベース１９に登録されている欧州在住のＡ氏の着信通知電話番号「３０  ２１２  ３４５６  ７８９０」は、発信可能な国際電話番号と比べた場合、先頭の国際電話発信を示す記号「＋」が削除されたものとなっており、国際電話番号の数字部分のみで構成されている。携帯電話機３は、この着信通知電話番号では、欧州在住のＡ氏へ国際電話をかけることができない。
【００２５】
図３は、電話帳データベース１８の一例を示すデータ構造図である。電話帳データベース１８は、電話帳電話番号毎の複数のレコードを有する。各レコードには、電話帳電話番号の他に、氏名などの情報が格納される。電話帳データベース１８には、複数の電話番号（電話帳電話番号）を、それぞれの名前などと対応付けて登録することができる。たとえば、図３の電話帳データベース１８には、欧州在住のＡ氏への電話番号（国際電話番号の数字部分のみ）「３０  ２１２  ３４５６  ７８９０」、日本在住のＣ氏の市外通話による電話番号「０３  ４５６７  ８９０１」、日本における電話番号の問い合わせ先の電話番号「１０４」などの電話帳電話番号を有する。なお、「３０  ２１２  ３４５６  ７８９０」は、たとえば着信履歴の登録処理などにより、電話帳データベース１８へ登録される。
【００２６】
図１中の制御部１７は、取得手段、第二の取得手段、付加手段および通知手段として機能するものであり、ハンズフリー通話装置２の動作を制御して、ハンズフリー通話装置２を用いた着信および発信を実現する。また、制御部１７は、電話帳データベース１８や履歴データベース１９を管理する。具体的にはたとえば、制御部１７は、電話帳データベース１８や履歴データベース１９に電話番号を登録したり、電話帳データベース１８や履歴データベース１９から電話番号を取得したりする。
【００２７】
また、図１中の携帯電話機３は、図示外のキャリアの基地局との間で通話要求パケットや音声パケットなどを送受するキャリア通信デバイス２１、短距離通信デバイス２２、電話番号などを表示する表示デバイス２３、キーデバイス２４、音声を出力するスピーカ２５、音声を電気信号へ変換するマイクロホン２６、電話帳データベース２９や履歴データベース３０などを記憶するメモリ２７、制御部２８などを有する。
【００２８】
制御部２８は、携帯電話機３の動作を制御する。そして、制御部２８は、携帯電話機３のみを用いた着信および発信を実現したり、携帯電話機３およびハンズフリー通話装置２を用いた着信および発信を実現したりする。また、制御部２８は、電話帳データベース２９および履歴データベース１９を管理する。
【００２９】
なお、携帯電話機３の上記以外の各構成要素は、上述したハンズフリー通話装置２における同名の構成要素と同様の機能を奏するものであり、説明を省略する。
【００３０】
また、ハンズフリー通話装置２の制御部１７や携帯電話機３の制御部２８は、たとえば図示外のマイクロコンピュータなどにおいて、図示外のＣＰＵがメモリ１６，２７に記憶される図示外のプログラムを読み込んで実行することにより、これらの装置において実現されればよい。
【００３１】
そして、これらのプログラムは、これらの装置の出荷前にメモリ１６，２７に記録されたものであっても、これらの装置の出荷後にメモリ１６，２７に記録されたものであってもよい。また、これらのプログラムの一部が、これらの装置の出荷後にメモリ１６，２７に記録されたものであってもよい。これらの装置の出荷後にメモリ１６，２７に記録されるプログラムは、たとえばメモリカードやＣＤ−ＲＯＭ（Ｃｏｍｐａｃｔ  Ｄｉｓｃ  Ｒｅａｄ  Ｏｎｌｙ  Ｍｅｍｏｒｙ）などのコンピュータ読取可能な記録媒体に記録されているものをインストールしたものであっても、インターネットなどの伝送媒体を介してダウンロードしたものをインストールしたものであってもよい。
【００３２】
次に、以上の構成を有するハンズフリー通話システム１の動作を説明する。以下の説明では特に、ハンズフリー通話装置２および携帯電話機３を用いた着信動作および発信動作について説明する。
【００３３】
図４は、ハンズフリー通話装置２および携帯電話機３の着信時の動作を示すタイミングチャートである。
【００３４】
ハンズフリー通話装置２の短距離通信デバイス１１は、車内に携帯電話機３が持ち込まれると、携帯電話機３の短距離通信デバイス２２との間で相互認証のための通信を開始する。そして、これらの短距離通信デバイス１１は、互いを識別すると、相互にデータを送受信可能な状態となる（ステップＳＴ１）。そして、携帯電話機３の制御部２８は、短距離通信デバイス２２がデータ通信可能な状態になると、ハンズフリー通話のための自動発着信モードとなる（ステップＳＴ２）。
【００３５】
なお、自動発着信モードでは、制御部２８は、着信時には、携帯電話機３に対するキー操作などが無くとも所定の時間経過後に自動的に回線を接続して通話を開始し、ハンズフリー通話装置２から発信指示があると、携帯電話機３のキーデバイス２４の図示外の通話ボタンなどに対するキー操作が無くとも自動的に回線を接続して通話を開始する。
【００３６】
自動発着信モード設定後に、キャリア通信デバイス２１が着信のための通話要求パケットを受信すると（ステップＳＴ３）、携帯電話機３の制御部２８は、ハンズフリー通話装置２の制御部１７へ着信通知を送信する（ステップＳＴ４）。実際には、制御部２８は、受信した通話要求パケットから着信電話番号を抽出し、抽出した着信電話番号の数字部分（＝着信通知電話番号）を有する着信通知を生成し、短距離通信デバイス２２へ供給する。そして、短距離通信デバイス２２は、供給された着信通知をハンズフリー通話装置２の短距離通信デバイス１１へ無線送信する。また、ハンズフリー通話装置２の短距離通信デバイス１１は、受信した着信通知をハンズフリー通話装置２の制御部１７へ供給する。これにより、制御部２８が生成した着信通知は、ハンズフリー通話装置２の制御部１７へ送信される。
【００３７】
着信通知電話番号を含む着信通知を受信すると、ハンズフリー通話装置２の制御部１７は、通知された着信通知電話番号を、時刻に対応付けて履歴データベース１９に追加する（ステップＳＴ５）。これにより、履歴データベース１９には、新たな着信通知電話番号が追加される。
【００３８】
たとえば、携帯電話機３に着信した電話番号がＡ氏からの国際電話番号「＋３０  ２１２  ３４５６  ７８９０」である場合、制御部２８は、その中の数字部分「３０  ２１２  ３４５６  ７８９０」のみを抽出してハンズフリー通話装置２の制御部１７へ送信する。その結果、ハンズフリー通話装置２の履歴データベース１９には、図２に示すように「３０  ２１２  ３４５６  ７８９０」が登録される。この他にもたとえば、携帯電話機３に着信した電話番号がＣ氏からの市内通話による電話番号「４５６７  ８９０１」である場合、制御部２８は、数字部分「４５６７  ８９０１」を抽出してハンズフリー通話装置２の制御部１７へ送信する。その結果、ハンズフリー通話装置２の履歴データベース１９には、図２に示すように「４５６７  ８９０１」が登録される。
【００３９】
着信時に通知された電話番号を履歴データベース１９に登録した後、制御部１７は、追加登録した着信通知電話番号を表示デバイス１２に表示させる（ステップＳＴ６）。表示デバイス１２は、たとえば図３中の「３０  ２１２  ３４５６  ７８９０」を表示したりする。
【００４０】
以上の着信通知に基づく着信処理がハンズフリー通話装置２においてなされる一方で、着信があった携帯電話機３では、その着信から所定の時間経過すると自動的に回線接続処理を実行する（ステップＳＴ７）。これにより、携帯電話機３は、発信元の電話機との間で通話可能な状態となる（ステップＳＴ８）。
【００４１】
この通話可能状態（ステップＳＴ８）において、携帯電話機３の制御部２８は、回線側から音声パケットを受信すると、短距離通信デバイス２２および短距離通信デバイス１１を介して、それをハンズフリー通話装置２の制御部１７へ送信する。ハンズフリー通話装置２の制御部１７は、受信した音声パケットに基づいて音声信号を生成し、スピーカ１４へ供給する。スピーカ１４は、音声パケットにコード化されていた回線接続先の音声を出力する。
【００４２】
また、ハンズフリー通話装置２のマイクロホン１５は、それに対して発話された音声を電気信号へ変換する。通話可能状態（ステップＳＴ８）にある制御部１７は、この音声の電気信号をコード化して音声パケットを生成する。また、制御部１７は、短距離通信デバイス１１および短距離通信デバイス２２を介して、生成した音声パケットを携帯電話機３の制御部２８へ送信する。制御部２８は、ハンズフリー通話装置２側から音声パケットを受信すると、キャリア通信デバイス２１を用いて、それを回線の接続先へ送信する。回線の接続先の図示外の電話機は、この音声パケットにコード化されている音声信号を再生する。
【００４３】
以上の処理により、ハンズフリー通話装置２および携帯電話機３は、着信時のハンズフリー通話が可能となる。
【００４４】
図５は、ハンズフリー通話装置２の履歴データベース１９に登録されている着信通知電話番号などを用いた発信動作を示すタイミングチャートである。なお、ハンズフリー通話装置２の短距離通信デバイス１１と携帯電話機３の短距離通信デバイス２２との相互認証動作など（ステップＳＴ１１およびＳＴ１２）は、図４と同様であり説明を省略する。
【００４５】
ハンズフリー通話装置２の制御部１７は、ユーザによるハンズフリー通話装置２のキーデバイス２４に対する操作に基づいて、履歴データベース１９中の１つの着信通知電話番号を選択する（ステップＳＴ１３）。その後、制御部１７は、その選択により取得した電話番号に基づく発信指示をする前に、その取得電話番号と合致する電話帳電話番号が電話帳データベース１８に登録されているか否かを確認する（ステップＳＴ１４）。なお、制御部１７は、キーデバイス１３への番号入力操作などにより電話番号を取得するようにしてもよい。
【００４６】
図６は、図１中の制御部１７が実行する登録確認処理の流れを示すフローチャートである。
【００４７】
取得電話番号の登録確認処理において、ハンズフリー通話装置２の制御部１７は、まず、取得電話番号の桁数が４桁以下であるか否かを判断する（ステップＳＴ２１）。
【００４８】
取得電話番号の桁数が４桁以下でない（ステップＳＴ２１でＮｏの）場合、制御部１７は、取得電話番号と電話帳データベース１８に登録されているすべての電話帳電話番号との比較処理を行う。具体的には、制御部１７は、電話帳データベース１８から１つの電話帳電話番号を読み込み（ステップＳＴ２２）、取得電話番号と電話帳電話番号とをそれらの末尾の桁から順番に比較し、取得電話番号と電話帳電話番号とが少なくとも下５桁において部分的に一致するか否かを判断する（ステップＳＴ２３）。なお、この比較処理において比較する電話番号の桁数は、取得電話番号の桁数および電話帳電話番号の桁数の中の短い方の桁数となる。
【００４９】
取得電話番号と電話帳電話番号とが少なくとも下５桁において部分的に一致する場合、制御部１７は、その電話帳電話番号を抽出し、メモリ１６に保存する（ステップＳＴ２４）。その後、制御部１７は、電話帳データベース１８のすべての電話帳電話番号との比較が終えたか否かを判断する（ステップＳＴ２５）。なお、取得電話番号と電話帳電話番号とが少なくとも下５桁において部分的に一致していない（ステップＳＴ２３でＮｏの）場合、制御部１７は、その電話帳電話番号の抽出処理（ステップＳＴ２４）をすることなく、電話帳データベース１８のすべての電話帳電話番号との比較が終えたか否かを判断する（ステップＳＴ２５）。
【００５０】
電話帳データベース１８のすべての電話帳電話番号との比較が終えていない（ステップＳＴ２５でＮｏの）場合、制御部１７は、電話帳データベース１８から次の電話帳電話番号を読み込み（ステップＳＴ２２）、上述した取得電話番号との比較処理（ステップＳＴ２３）および抽出処理（ステップＳＴ２４）を繰り返し実行する。電話帳データベース１８のすべての電話帳電話番号との比較が終える（ステップＳＴ２５でＹｅｓ）と、制御部１７は、電話帳データベース１８からの電話帳電話番号の抽出処理を終える。
【００５１】
電話帳データベース１８に登録されているすべての電話帳電話番号との比較処理を終えると、制御部１７は、次に、メモリ１６から抽出したすべての電話帳電話番号を読み込み、その中で取得電話番号との連続一致桁数が最も長いものを、一致する１つの電話帳電話番号として選択する（ステップＳＴ２６）。
【００５２】
たとえば取得電話番号が「３０  ２１２  ３４５６  ７８９０」である場合、制御部１７は、下５桁以上において連続的に一致する電話帳電話番号として、図３の電話帳データベース１８から「３０  ２１２  ３４５６  ７８９０」を選択し、さらにそれを一致する１つの電話帳電話番号として選択することになる。この他にもたとえば、取得電話番号が「４５６７  ８９０１」である場合、制御部１７は、同様の処理により、電話帳電話番号「０３  ４５６７  ８９０１」を選択し、さらにそれを一致する１つの電話帳電話番号として選択することになる。このように、制御部１７は、図６による取得電話番号の登録確認処理により、取得電話番号と適切に対応する電話帳電話番号を選択することができる。
【００５３】
なお、図６中のステップＳＴ２１において、取得電話番号の桁数が４桁以下である（Ｙｅｓ）と判断した場合、制御部１７は、取得電話番号と電話帳データベース１８に登録されている電話帳電話番号との比較処理を行う。具体的には、制御部１７は、電話帳データベース１８から１つの電話帳電話番号を読み込み（ステップＳＴ２７）、取得電話番号と電話帳電話番号とが完全に一致するか否かを判断する（ステップＳＴ２８）。そして、４桁以下の取得電話番号と電話帳電話番号とが完全に一致する（ステップＳＴ２８でＹｅｓの）場合、制御部１７は、その電話帳電話番号を、取得電話番号に一致する１つの電話帳電話番号として選択する（ステップＳＴ２９）。たとえば履歴データベース１９やユーザ入力操作に基づいて取得した電話番号が「１０４」である場合、制御部１７は、それと完全に一致する電話帳電話番号として、図３の電話帳データベース１８から「１０４」を選択する。
【００５４】
また、４桁以下の取得電話番号と電話帳電話番号とが完全に一致していない（ステップＳＴ２８でＮｏの）場合、制御部１７は、電話帳データベース１８のすべての電話帳電話番号との比較が終えたか否かを判断する（ステップＳＴ３０）。その比較を終えていない（ステップＳＴ３０でＮｏの）場合、制御部１７は、次の登録電話番号を選択し、一致判断に基づく選択処理を繰り返す（ステップＳＴ２７〜２９）。制御部１７は、電話帳データベース１８から１つの電話帳電話番号を抽出するか、あるいは、電話帳データベース１８のすべての電話帳電話番号についての比較を終えると（ステップＳＴ３０でＹｅｓ）、取得電話番号と一致する電話帳電話番号の選択処理を終える。
【００５５】
以上のように、ハンズフリー通話装置２の制御部１７は、図５中のステップＳＴ１４の電話帳電話番号の選択処理において１つの電話帳電話番号を選択する。その後、制御部１７は、番号訂正処理を実行する（ステップＳＴ１５）。
【００５６】
図７は、図１中の制御部１７が実行する番号訂正処理の流れを示すフローチャートである。番号訂正処理において、制御部１７は、まず、１つの電話帳電話番号を選択しているか否かを判断する（ステップＳＴ３１）。
【００５７】
１つの電話帳電話番号を選択している（ステップＳＴ３１でＹｅｓの）場合、制御部１７は、取得電話番号と選択した１つの電話帳電話番号の桁数同士を比較する。そして、取得電話番号より選択した電話帳電話番号の桁数が多い場合、制御部１７は、取得電話番号を電話帳電話番号へ訂正し、電話帳電話番号を発信先電話番号とする。逆に、取得電話番号より選択した電話帳電話番号の桁数が少ない場合、制御部１７は、履歴データベース１９において選択した取得電話番号を発信先電話番号とする（ステップＳＴ３２）。具体的にはたとえば、取得した着信通知電話番号が「４５６７  ８９０１」（８桁）であり、且つ、選択した電話帳電話番号が「０３  ４５６７  ８９０１」（１０桁）である場合、制御部１７は、桁数が多い「０３  ４５６７  ８９０１」を発信先電話番号として選択する。
【００５８】
電話帳データベース１８の検索に基づく訂正処理により発信先電話番号の選択を終えると、制御部１７は、次に、発信先電話番号の構成判断に基づく訂正処理を実行する。なお、電話帳電話番号を１つも選択していない場合、制御部１７は、取得した着信通知電話番号を発信先電話番号とし、発信先電話番号の構成判断に基づく訂正処理を実行する。
【００５９】
発信先電話番号の構成判断に基づく訂正処理において、制御部１７は、まず、発信先電話番号の先頭が「０」以外の数字であるか否かを判断する（ステップＳＴ３３）。制御部１７は、たとえば発信先電話番号が「３０  ２１２  ３４５６  ７８９０」や「１０４」である場合、発信先電話番号の先頭が「０」以外の数字であると判断し、「０３  ４５６７  ８９０１」や「＋３０  ２１２  ３４５６  ７８９０」である場合、「０」以外の数字でないと判断する。
【００６０】
発信先電話番号の先頭が「０」以外の数字であると判断した（ステップＳＴ３３でＹｅｓの）場合、制御部１７は、次に発信先電話番号の桁数が４桁以下であるか否かを判断する（ステップＳＴ３４）。制御部１７は、たとえば発信先電話番号が「１０４」である場合、発信先電話番号の桁数が４桁以下であると判断し、「３０  ２１２  ３４５６  ７８９０」である場合、４桁以下でないと判断する。
【００６１】
そして、発信先電話番号の桁数が４桁以下でない（ステップＳＴ３４でＮｏ）と判断すると、制御部１７は、発信先電話番号の判断に基づく訂正処理を実行する（ステップＳＴ３５）。具体的には、発信先電話番号の先頭に、国際電話発信を示す記号「＋」を付加し、それを訂正後の新たな発信先電話番号とする。たとえば、元の発信先電話番号が「３０  ２１２  ３４５６  ７８９０」である場合、制御部１７は、「＋３０  ２１２  ３４５６  ７８９０」を新たな発信先電話番号とする。
【００６２】
また、発信先電話番号の桁数が４桁以下である（ステップＳＴ３４でＹｅｓ）と判断した場合、あるいは、発信先電話番号の先頭が「０」以外の数字でない（ステップＳＴ３３でＮｏ）と判断した場合、制御部１７は、発信先電話番号の構成判断に基づく訂正処理（ステップＳＴ３５）を実行しない。すなわち、制御部１７は、電話帳データベース１８の検索に基づいてのみの訂正処理（ステップＳＴ３１〜ＳＴ３２）をした発信先電話番号を、最終的な発信先電話番号とする。
【００６３】
このように図５中の番号訂正処理（ステップＳＴ１５）を終えると、制御部１７は、訂正処理後の発信先電話番号を表示デバイス１２に表示させる（ステップＳＴ１６）。なお、制御部１７は、電話帳電話番号を発信先電話番号とした選択した場合には、電話帳データベース１８においてその電話帳電話番号と対応付けられている名前などの情報を表示デバイス１２に表示させるようにしてもよい。
【００６４】
また、制御部１７は、発信先電話番号を含む発信指示通知を携帯電話機３の制御部２８へ送信する（ステップＳＴ１７）。なお、このハンズフリー通話装置２が携帯電話機３へ通知する発信先電話番号は、それが国際電話番号である場合には必ずその先頭に国際電話発信を示す記号「＋」が付加されている。また、この発信指示通知は、実際には、制御部１７から短距離通信デバイス１１へ供給され、短距離通信デバイス１１から短距離通信デバイス２２へ送信され、短距離通信デバイス２２から制御部２８へ供給される。
【００６５】
発信指示通知を受信すると、携帯電話機３の制御部２８は、発信先電話番号を指定する通話要求パケットを生成し、キャリア通信デバイス２１に送信させる（ステップＳＴ１８）。その後、携帯電話機３は、発信先電話番号の図示外の電話機との間で回線接続処理を実行する（ステップＳＴ１９）。これにより、携帯電話機３は、発信先の電話機との間で通話可能な状態となる（ステップＳＴ２０）。
【００６６】
この通話可能状態（ステップＳＴ２０）において、携帯電話機３の制御部２８は、回線側から音声パケットを受信すると、短距離通信デバイス２２および短距離通信デバイス１１を介して、それをハンズフリー通話装置２の制御部１７へ送信する。ハンズフリー通話装置２の制御部１７は、受信した音声パケットに基づいて音声信号を生成し、スピーカ１４へ供給する。スピーカ１４は、音声パケットにコード化されていた回線接続先の音声を出力する。
【００６７】
また、ハンズフリー通話装置２のマイクロホン１５は、それに対して発話された音声を電気信号へ変換する。通話可能状態（ステップＳＴ２０）にある制御部１７は、この音声の電気信号をコード化して音声パケットを生成する。また、制御部１７は、短距離通信デバイス１１および短距離通信デバイス２２を介して、生成した音声パケットを携帯電話機３の制御部２８へ送信する。制御部２８は、ハンズフリー通話装置２側から音声パケットを受信すると、キャリア通信デバイス２１を用いて、それを回線の接続先へ送信する。回線の接続先の図示外の電話機は、この音声パケットにコード化されている音声信号を再生する。
【００６８】
以上の処理により、ハンズフリー通話装置２および携帯電話機３は、ハンズフリー通話装置２の履歴データベース１９に登録された着信通知電話番号などを用いて、発信によるハンズフリー通話が可能となる。
【００６９】
以上のように、この実施の形態に係るハンズフリー通話装置２は、メモリ１６中の履歴データベース１９に携帯電話機３から通知される着信通知電話番号を記憶する。そして、ハンズフリー通話装置２の制御部１７は、メモリ１６から着信通知電話番号などを取得し、取得した電話番号の先頭桁が０以外の数字である場合、さらに取得電話番号が４桁以下であるか否かを判断し、４桁以下である場合には、その取得した電話番号の先頭に、携帯電話機３に国際電話の発信をさせるための記号を付加した発信先電話番号を、携帯電話機３へ通知する。
【００７０】
したがって、ハンズフリー通話装置２は、発信可能ではない不完全な国際電話番号がメモリ１６中の履歴データベース１９に記憶されている場合に、その国際電話番号への発信が可能となる。携帯電話機３が着信した国際電話番号の中の一部（数字部分）のみを着信通知電話番号としてハンズフリー通話装置２へ通知しているにもかかわらず、ハンズフリー通話装置２は、その通知された不完全な国際電話番号の着信履歴に基づいて、その国際電話番号へ発信することができる。
【００７１】
しかも、ハンズフリー通話装置２は、このような不完全な国際電話番号に基づく国際電話の発信を可能としつつも、電話番号の先頭桁が０である国内への発信も可能である。また、国内における４桁以下の特殊な電話番号、たとえば番号案内の電話番号（１０４）、救急電話番号（１１０，１１９）、時報案内番号（１０４）、４桁の情報サービス番号などへの発信も可能である。
【００７２】
また、この実施の形態の制御部１７は、履歴データベース１９から取得した着信通知電話番号と５桁数以上の長さにおいて下桁が一致する電話帳電話番号を電話帳データベース１８から取得し、電話帳電話番号の桁数が着信通知電話番号の桁数より多い場合には、その電話帳電話番号を発信先電話番号として先頭桁を判断対象としている。
【００７３】
したがって、履歴データベース１９に記憶される着信通知電話番号などが国際電話あるいは国内電話を発信するためには不完全な番号のものであったとしても、電話帳データベース１８に記憶される電話帳電話番号に基づいて適切に発信することが可能となる。たとえば、電話帳データベース１８に所定の電話会社の選択番号などが付加された国際電話番号（たとえば「００＊１  １  ３１０  ＸＸＸ  ＸＸＸＸ」：「００＊１」は電話会社の選択番号）が登録されることにより、不完全な着信通知電話番号（たとえば「１  ３１０  ＸＸＸ  ＸＸＸＸ」）に基づいて、その所定の電話会社を用いた国際電話の発信が可能となる。自分が通常使用していない割高な電話会社の回線を使用して通話料金が高くなってしまうことを予防することができる。この他にもたとえば、電話帳データベース１８に市外通話による発信可能な番号（たとえば「０３  ４５６７  ８９０１」）が登録されることにより、着信通知電話番号が市内通話によるもの（たとえば「４５６７  ８９０１」）であっても、市外から適切に発信することなどができる。
【００７４】
以上の実施の形態は、本発明の好適な実施の形態の例であるが、本発明は、これに限定されるものではなく、発明の要旨を逸脱しない範囲において種々の変形や変更が可能である。
【００７５】
上記実施の形態では、履歴データベース１９は、携帯電話機３から通知された着信通知電話番号のみを記憶する。この他にもたとえば、履歴データベース１９は、携帯電話機３に発信させた発信先電話番号、あるいはそれらの両方を履歴電話番号として記憶するようにしてもよい。
【００７６】
上記実施の形態では、制御部１７が履歴データベース１９に登録されている着信通知電話番号（履歴電話番号）を取得した場合での発信動作を説明している。この他にもたとえば、制御部１７は、電話帳データベース１８に登録されている電話帳電話番号を取得した場合や、キーデバイス１３により入力された電話番号を取得した場合においても、図５〜図７の番号確認訂正処理を実行するようにしてもよい。これにより、ハンズフリー通話装置２を用いて、如何なる場合にも適切に国際電話をかけることができる。たとえば、携帯電話機３から通知された数字部分のみからなる不完全な国際電話番号がハンズフリー通話装置２の電話帳データベース１８に登録されている場合などにおいても、ハンズフリー通話装置２は、その登録された不完全な電話帳電話番号を用いて携帯電話端末３に国際電話をかけさせることができる。
【００７７】
上記実施の形態では、ハンズフリー通話装置２の制御部１７は、電話帳電話番号の抽出処理において、取得した電話番号と少なくとも下５桁において部分的に一致する電話帳電話番号を抽出している。この他にもたとえば、制御部１７は、下６桁以上の桁数において部分的に一致する電話帳電話番号を抽出するようにしてもよい。
【００７８】
上記実施の形態では、ハンズフリー通話装置２の制御部１７は、取得した電話番号を、電話帳データベース１８に登録されているすべての電話帳電話番号と比較している。この他にもたとえば、ハンズフリー通話装置２の制御部１７は、事前に、電話帳データベース１８に登録される電話帳電話番号を末尾を揃えて昇順あるいは降順に並ばせるソート手段として機能し、電話帳電話番号の選択時には、このソート処理後の電話帳データベース１８の先頭のものからあるいは最後のものから順番に比較し、所定の桁数（たとえば１０桁など）以上で一致する桁数を得た後に、一致する桁数が減りはじめたら抽出処理を終えて、選択処理へ移行するようにしてもよい。
【００７９】
この変形例の場合、制御部１７は、電話帳データベース１８に一致する電話帳電話番号が登録されている場合において、電話帳データベース１８に登録されているすべての電話帳電話番号についての比較処理をしなくて抽出処理を終えることができる。そのため、制御部１７による平均的な抽出時間を短縮することができる。その結果、電話番号の完全一致により選択される電話帳電話番号が電話帳データベース１８に存在する場合において、仮にたとえばそれを完全一致により選択するときと比べて、それと遜色ない略同等の平均的な抽出時間により電話帳電話番号を抽出することができる。
【００８０】
上記実施の形態では、ハンズフリー通話装置２は、携帯電話機３と組み合わされてハンズフリー通話システム１を構成している。この他にもたとえば、ハンズフリー通話装置２は、家庭内に設置される固定電話機などと組み合わされてハンズフリー通話システム１を実現するようにしてもよい。さらに、ハンズフリー通話装置２自体も、車両内ではなく家庭内に設置されたり、たとえば携帯プレーヤのヘッドホン装置などのように人に対してウェアラブルに設置されたりするものであってもよい。
【産業上の利用可能性】
【００８１】
本発明は、携帯電話機などとともに用いられるハンズフリー通話装置などにおいて通話先の電話番号を発信する場合に好適に利用することができる。
【図面の簡単な説明】
【００８２】
【図１】図１は、ハンズフリー通話システムの構成を示すブロック図である。
【図２】図２は、図１中の履歴データベースの一例を示すデータ構造図である。
【図３】図３は、図１中の電話帳データベースの一例を示すデータ構造図である。
【図４】図４は、着信時の動作を示すタイミングチャートである。
【図５】図５は、発信時の動作を示すタイミングチャートである。
【図６】図６は、図１中の制御部による登録確認処理を示すフローチャートである。
【図７】図７は、図１中の制御部による番号訂正処理を示すフローチャートである。
【符号の説明】
【００８３】
１  ハンズフリー通話システム
２  ハンズフリー通話装置
３  携帯電話機（電話機）
１６  メモリ（記憶手段）
１７  制御部（取得手段、第二の取得手段、付加手段、通知手段）
１８  電話帳データベース
１９  履歴データベース
【図１】
2008288644.tif 000003
【図２】
2008288644.tif 000004
【図３】
2008288644.tif 000005
【図４】
2008288644.tif 000006
【図５】
2008288644.tif 000007
【図６】
2008288644.tif 000008
【図７】
2008288644.tif 000009